(57)【要約】【課題】キャリブレーションの有効性を示すレポートを提供する。【解決手段】画像形成システムは、一定間隔毎にキャリブレーションを実施して階調補正テーブルを更新し、各キャリブレーションの実施前に補正を無効に切り替えてキャリブレーションが無効なときの階調パターンを、各キャリブレーションの実施後に補正を有効に切り替えてキャリブレーションが有効なときの階調パターンを、画像形成部により形成させる制御部を備えている。制御部は、階調パターンの濃度の測定値を取得して、当該階調パターンが、キャリブレーションが有効か又は無効かを判断し、キャリブレーションが無効なときの階調パターンの測定値を用いて各キャリブレーションを実施し（ステップＳ１１）、各階調パターンの測定値を用いてキャリブレーションが有効なとき及び無効なときの階調特性をそれぞれ示すレポートを作成する（ステップＳ１７）。【選択図】図３
2014107648.tif 000002
【特許請求の範囲】
【請求項１】
階調補正テーブルを用いて、画像データの階調を補正する階調補正部と、
画像データに基づき、用紙上に画像を形成する画像形成部と、
一定間隔毎にキャリブレーションを実施して前記階調補正テーブルを更新し、各キャリブレーションの実施前に前記補正を無効に切り替えて、キャリブレーションが無効なときの階調パターンを前記画像形成部により形成させ、各キャリブレーションの実施後に前記補正を有効に切り替えて、キャリブレーションが有効なときの階調パターンを前記画像形成部により形成させる制御部と、
用紙上に形成された前記階調パターンを読み取る読取部と、を備え、
前記制御部は、
読み取られた前記階調パターンの濃度の測定値を取得して、当該階調パターンが、キャリブレーションが有効なときの階調パターンか又は無効なときの階調パターンかを判断し、
キャリブレーションが無効なときの階調パターンの測定値を用いて、各キャリブレーションを実施し、
キャリブレーションが有効なとき及び無効なときの各階調パターンの測定値を用いて、キャリブレーションが有効なとき及び無効なときの階調特性をそれぞれ示すレポートを作成する、
画像形成システム。
【請求項２】
前記制御部は、前記階調パターンが形成されてから読み取られるまでの経過時間により、当該階調パターンが、キャリブレーションが有効なときの階調パターンか又は無効なときの階調パターンかを判断する、
請求項１に記載の画像形成システム。
【請求項３】
前記制御部は、前記画像形成部により、前記階調パターンとともに、キャリブレーションが有効か又は無効かを示すマークを形成させ、前記読取部により当該階調パターンとともに読み取られたマークに基づいて、当該階調パターンが、キャリブレーションが有効なときの階調パターンか又は無効なときの階調パターンかを判断する、
請求項１に記載の画像形成システム。
【請求項４】
前記制御部は、今回のキャリブレーションの実施前に形成されたキャリブレーションが無効なときの階調パターンの測定値と、過去のキャリブレーションの実施前に形成されたキャリブレーションが無効なときの階調パターンの測定値との差が、閾値以上である場合、前記画像形成部の安定化制御を実行した後、前記キャリブレーションが無効なときの階調パターンを再度形成させて得られた測定値を用いて、キャリブレーションを実施する、
請求項１〜３の何れか一項に記載の画像形成システム。
【請求項５】
前記制御部は、今回のキャリブレーションの実施前に形成されたキャリブレーションが無効なときの階調パターンの測定値と、過去のキャリブレーションの実施前に形成されたキャリブレーションが無効なときの階調パターンの測定値との差に応じて、今回の測定値に過去の測定値をマージし、キャリブレーションを実施する、
請求項１〜４の何れか一項に記載の画像形成システム。
【請求項６】
前記制御部は、今回のキャリブレーションの実施前に形成されたキャリブレーションが無効なときの階調パターンの測定値と、過去のキャリブレーションの実施前に形成されたキャリブレーションが無効なときの階調パターンの測定値との差に応じて、キャリブレーションを実施する間隔を調整する、
請求項１〜５の何れか一項に記載の画像形成システム。
【請求項７】
前記制御部は、各階調パターンの測定値を統計し、前記階調特性とともに統計結果を示すレポートを作成する、
請求項１〜６の何れか一項に記載の画像形成システム。
【請求項８】
前記制御部は、前記階調特性又は前記統計結果を図示したレポートを作成する、
請求項７に記載の画像形成システム。
【請求項９】
前記制御部は、前記レポートの電子データを作成し、外部のサーバーへ送信するか、前記画像形成部により前記レポートの画像を用紙上に形成させるか、又はその両方を実行する、
請求項１〜８の何れか一項に記載の画像形成システム。
【発明の詳細な説明】
【技術分野】
【０００１】
本発明は、画像形成システムに関する。
【背景技術】
【０００２】
電子写真方式の画像形成システムは、一般的に、画像の階調特性が目標の階調特性に一致するように、画像データの階調を補正している。階調の補正には、各階調値に対し、補正後の階調値が定められた階調補正テーブルが用いられている。
【０００３】
画像の階調特性は環境変化や経時変化により変動するため、画像形成システムは定期的にキャリブレーションを実施し、階調補正テーブルを最適化している。キャリブレーションは、階調パターンを形成し、当該階調パターンから特定された階調特性と目標の階調特性との誤差に応じて、階調補正テーブルを新たに作成し、更新する処理である。現状の階調特性を特定する必要があるため、階調パターンは階調の補正が行われずに形成される（例えば、特許文献１参照）。
【先行技術文献】
【特許文献】
【０００４】
【特許文献１】特開２００３−２９５５２９号公報
【発明の概要】
【発明が解決しようとする課題】
【０００５】
キャリブレーションは、稼働率が低い時間帯に実施されることが多いが、１つのジョブにおいて画像の階調特性を安定させるため、ジョブの実行中に実施されることもある。何れの場合も、キャリブレーションは水面下で実施され、ユーザーに対し、キャリブレーションの実施状況を知らせることはほとんど無い。用紙上に形成された画像から、ユーザーがキャリブレーションの効果や実施状況を判断することは難しく、ユーザーはキャリブレーションの有効性を把握する機会がほとんど無かった。
【０００６】
本発明の課題は、キャリブレーションの有効性を示すレポートを提供することである。
【課題を解決するための手段】
【０００７】
請求項１に記載の発明によれば、
階調補正テーブルを用いて、画像データの階調を補正する階調補正部と、
画像データに基づき、用紙上に画像を形成する画像形成部と、
一定間隔毎にキャリブレーションを実施して前記階調補正テーブルを更新し、各キャリブレーションの実施前に前記補正を無効に切り替えて、キャリブレーションが無効なときの階調パターンを前記画像形成部により形成させ、各キャリブレーションの実施後に前記補正を有効に切り替えて、キャリブレーションが有効なときの階調パターンを前記画像形成部により形成させる制御部と、
用紙上に形成された前記階調パターンを読み取る読取部と、を備え、
前記制御部は、
読み取られた前記階調パターンの濃度の測定値を取得して、当該階調パターンが、キャリブレーションが有効なときの階調パターンか又は無効なときの階調パターンかを判断し、
キャリブレーションが無効なときの階調パターンの測定値を用いて、各キャリブレーションを実施し、
キャリブレーションが有効なとき及び無効なときの各階調パターンの測定値を用いて、キャリブレーションが有効なとき及び無効なときの階調特性をそれぞれ示すレポートを作成する、
画像形成システムが提供される。
【０００８】
請求項２に記載の発明によれば、
前記制御部は、前記階調パターンが形成されてから読み取られるまでの経過時間により、当該階調パターンが、キャリブレーションが有効なときの階調パターンか又は無効なときの階調パターンかを判断する、
請求項１に記載の画像形成システムが提供される。
【０００９】
請求項３に記載の発明によれば、
前記制御部は、前記画像形成部により、前記階調パターンとともに、キャリブレーションが有効か又は無効かを示すマークを形成させ、前記読取部により当該階調パターンとともに読み取られたマークに基づいて、当該階調パターンが、キャリブレーションが有効なときの階調パターンか又は無効なときの階調パターンかを判断する、
請求項１に記載の画像形成システムが提供される。
【００１０】
請求項４に記載の発明によれば、
前記制御部は、今回のキャリブレーションの実施前に形成されたキャリブレーションが無効なときの階調パターンの測定値と、過去のキャリブレーションの実施前に形成されたキャリブレーションが無効なときの階調パターンの測定値との差が、閾値以上である場合、前記画像形成部の安定化制御を実行した後、前記キャリブレーションが無効なときの階調パターンを再度形成させて得られた測定値を用いて、キャリブレーションを実施する、
請求項１〜３の何れか一項に記載の画像形成システムが提供される。
【００１１】
請求項５に記載の発明によれば、
前記制御部は、今回のキャリブレーションの実施前に形成されたキャリブレーションが無効なときの階調パターンの測定値と、過去のキャリブレーションの実施前に形成されたキャリブレーションが無効なときの階調パターンの測定値との差に応じて、今回の測定値に過去の測定値をマージし、キャリブレーションを実施する、
請求項１〜４の何れか一項に記載の画像形成システムが提供される。
【００１２】
請求項６に記載の発明によれば、
前記制御部は、今回のキャリブレーションの実施前に形成されたキャリブレーションが無効なときの階調パターンの測定値と、過去のキャリブレーションの実施前に形成されたキャリブレーションが無効なときの階調パターンの測定値との差に応じて、キャリブレーションを実施する間隔を調整する、
請求項１〜５の何れか一項に記載の画像形成システムが提供される。
【００１３】
請求項７に記載の発明によれば、
前記制御部は、各階調パターンの測定値を統計し、前記階調特性とともに統計結果を示すレポートを作成する、
請求項１〜６の何れか一項に記載の画像形成システムが提供される。
【００１４】
請求項８に記載の発明によれば、
前記制御部は、前記階調特性又は前記統計結果を図示したレポートを作成する、
請求項７に記載の画像形成システムが提供される。
【００１５】
請求項９に記載の発明によれば、
前記制御部は、前記レポートの電子データを作成し、外部のサーバーへ送信するか、前記画像形成部により前記レポートの画像を用紙上に形成させるか、又はその両方を実行する、
請求項１〜８の何れか一項に記載の画像形成システムが提供される。
【発明の効果】
【００１６】
本発明によれば、キャリブレーションが有効なとき及び無効なときの階調特性を分離してレポートに示すことができる。ユーザーは、各階調特性を比較することができ、キャリブレーションの有効性及び階調特性の安定性を把握することができる。従って、キャリブレーションの有効性を示すレポートを提供することができる。
【図面の簡単な説明】
【００１７】
【図１】本実施の形態に係る画像形成システムの概略構成図である。
【図２】図１の本体ユニットの機能ブロック図である。
【図３】本体ユニットが実行するレポート作成処理のフローチャートである。
【図４】レポート作成処理において、キャリブレーションを実施するときのフローチャートである。
【図５】（ａ）異なる用紙に形成された階調パターンの例である。（ｂ）同じ用紙に形成された階調パターンの例である。
【図６】（ａ）異なる用紙の非画像領域に形成された階調パターンの例である。（ｂ）同じ用紙の非画像領域に形成された階調パターンの例である。
【図７】（ａ）キャリブレーションが無効であることを示すマークの例である。（ｂ）キャリブレーションが有効であることを示すマークの例である。
【図８】キャリブレーションが有効か又は無効かによって、同じ用紙の異なる位置に形成された階調パターンの例である。
【図９】キャリブレーションの実施において、階調補正テーブルを更新するときのフローチャートである。
【図１０】目標の階調特性とキャリブレーションの実施前の階調特性を示している。
【図１１】（ａ）目標の階調特性に対する、キャリブレーションの実施前の階調特性の逆特性を示している。（ｂ）逆特性から得られた階調補正テーブルの例である。
【図１２】キャリブレーションの実施後の階調特性を示している。
【図１３】安定化制御が必要であるときの階調特性を示している。
【図１４】２０００枚毎に形成された階調パターンの例である。
【図１５】キャリブレーションの実施間隔が２０００枚であるときのレポートの例である。
【図１６】キャリブレーションの実施間隔が５００枚であるときのレポートの例である。
【図１７】（ａ）図１５のレポート中の測定値がグラフで図示された例を示している。（ｂ）図１６のレポート中の測定値がグラフで図示された例を示している。
【図１８】サーバーに接続された複数の画像形成システムを示している。
【発明を実施するための形態】
【００１８】
以下、図面を参照して、本発明の画像形成システムの実施の形態について説明する。
【００１９】
図１は、本実施の形態に係る画像形成システムＧの概略構成図を示す。
図１に示すように、画像形成システムＧは、コントローラーｇ１、給紙ユニットｇ２、本体ユニットｇ３、読取部ｇ４、後処理装置ｇ５を備えて構成されている。
【００２０】
コントローラーｇ１は、ネットワーク上のコンピューター端末からＰＤＬ（Page Description Language）データを受信し、当該ＰＤＬデータをラスタライズ処理してビットマップ形式の画像データを生成する。コントローラーｇ１は、Ｃ（シアン）、Ｍ（マジェンタ）、Ｙ（イエロー）、Ｋ（黒）の色毎に画像データを生成し、本体ユニットｇ３に出力する。
【００２１】
給紙ユニットｇ２は、大容量の給紙トレイを複数備え、当該給紙トレイに収容された用紙を本体ユニットｇ３に搬送する。
【００２２】
本体ユニットｇ３は、操作部３、表示部４、スキャナー６、画像形成部８等を備えている。本体ユニットｇ３は、スキャナー６により原稿を読み取って画像データを得るか、又はコントローラーｇ１から画像データを得て、当該画像データに基づき、画像形成部８により用紙上に画像を形成する。
【００２３】
画像形成部８は、図１に示すように、Ｃ、Ｍ、Ｙ、Ｋの色毎に、露光部８１、感光体８２及び現像部８３を、４セット備えている。また、画像形成部８は、中間転写ベルト８４、２次転写ローラー８５、定着装置８６、反転機構８７及び複数の給紙トレイ８８を備えている。各色の感光体８２は、中間転写ベルト８４の回動方向に沿って並列に配置され、２次転写ローラー８５及び定着装置８６は、用紙Ｔの搬送経路上に設けられている。
【００２４】
露光部８１は、帯電し、回転する感光体８２上を光走査して露光する。現像部８３は、露光により感光体８２上に形成された静電潜像を、トナーで現像する。このようにして４つの感光体８２上に形成された各色の画像は、中間転写ベルト８４上に重ねて転写され、カラー画像が形成される。カラー画像は、２次転写ローラー８５により、給紙トレイ８８又は給紙ユニットｇ２から給紙された用紙上に転写される。定着装置８６は当該用紙を定着処理する。用紙の両面に画像を形成する場合、画像形成部８は、反転機構８７により用紙の表裏を反転させ、もう一方の片面に画像を形成して、定着処理する。画像形成部８は、定着処理後の用紙を読取部ｇ４に搬送する。
【００２５】
読取部ｇ４は、本体ユニットｇ３から搬送された用紙を後処理装置ｇ５に搬送する。読取部ｇ４は、本体ユニットｇ３の指示に従って、搬送中の用紙上の画像を読み取り、濃度を測定する。
読取部ｇ４は、図１に示すように、光源４１、ミラー群４２、レンズ４３、ＣＣＤ（Charge Coupled Device）４４、駆動部４５を備えて構成されている。
読取部ｇ４は、光源４１により用紙上を光走査し、その反射光をミラー群４２によりレンズ４３に導く。レンズ４３は光を結像し、ＣＣＤ４４は駆動部４５により駆動されて、結像された光を光電変換する。読取部ｇ４は、この光電変換により得られた信号値を、濃度の測定値として本体ユニットｇ３に出力する。
【００２６】
後処理装置ｇ５は、読取部ｇ４から搬送された用紙を後処理して排紙する。後処理としては、例えばステイプル処理、パンチ穴開け処理、折り処理、製本処理が挙げられる。後処理は必ず実行される処理ではなく、後処理装置ｇ５は、本体ユニットｇ３から指示された場合のみ実行する。後処理が無い場合、後処理装置ｇ５は搬送された用紙をそのまま排紙する。
【００２７】
図２は、本体ユニットｇ３の機能ブロック図を示している。
図２に示すように、本体ユニットｇ３は、制御部１、記憶部２、操作部３、表示部４、通信部５、スキャナー６、画像処理装置７、画像形成部８を備えて構成されている。
【００２８】
制御部１は、ＣＰＵ（Central Processing Unit）、ＲＡＭ（Random Access Memory）等を備えている。制御部１は、記憶部２に記憶されているプログラムを読み出し、当該プログラムに従って画像形成システムＧの各部を制御する。
例えば、制御部１は、ジョブの設定に従い、画像処理装置７により画像データを補正及び画像処理させて、画像形成部８により画像を形成させる。ジョブの設定に後処理の設定が含まれる場合、制御部１は後処理装置ｇ５に指示して後処理させる。
【００２９】
制御部１は、一定間隔毎にキャリブレーションを実施する。キャリブレーションは、階調パターンを形成し、当該階調パターンの濃度の測定値を得て、階調の補正に用いられる階調補正テーブルを更新する処理である。
【００３０】
制御部１は、各キャリブレーションの実施前に階調の補正を無効に切り替えて、キャリブレーションが無効なときの階調パターンを画像形成部８により形成させる。また、制御部１は、各キャリブレーションの実施後に階調の補正を有効に切り替えて、キャリブレーションが有効なときの階調パターンを画像形成部８により形成させる。
制御部１は、読取部ｇ４により読み取られた階調パターンの濃度の測定値を取得して、当該階調パターンが、キャリブレーションが有効なときの階調パターンか又は無効なときの階調パターンかを判断する。
制御部１は、キャリブレーションが無効なときと判断された階調パターンの測定値により、各キャリブレーションを実施する。
また、制御部１は、キャリブレーションが有効なとき及び無効なときの各階調パターンの測定値を用いて、キャリブレーションが有効なとき及び無効なときの階調特性をそれぞれ示すレポートを作成する。
【００３１】
記憶部２は、制御部１が読み取り可能なプログラム、ファイル等を記憶している。記憶部２としては、例えばハードディスク、ＲＯＭ（Read Only Memory）等の記憶媒体を用いることができる。
記憶部２は、階調パターンを記憶している。また、記憶部２は、階調パターンの濃度の測定値を、キャリブレーションが有効か又は無効かにより分類して記憶する。
【００３２】
操作部３は、操作キーや表示部４と一体に構成されたタッチパネル等を備え、これらの操作に応じた操作信号を制御部１に出力する。
表示部４は、制御部１の指示に従って操作画面等を表示する。
通信部５は、制御部１からの指示に従い、ネットワーク上のコンピューターと通信する。
【００３３】
スキャナー６は、原稿の画像を読み取って、Ｒ（赤）、Ｇ（緑）、Ｂ（青）の色毎の画像データを生成し、画像処理装置７に出力する。
【００３４】
画像処理装置７は、スキャナー６又はコントローラーｇ１から入力された画像データを補正し、画像処理を施して、画像形成部８に出力する。
画像処理装置７は、図２に示すように、色変換部７１、階調補正部７２、中間調処理部７３を備えている。
【００３５】
色変換部７１は、スキャナー６から入力されたＲ、Ｇ、Ｂの画像データを色変換処理し、Ｃ、Ｍ、Ｙ、Ｋの画像データを出力する。色変換部７１は、色補正のため、コントローラーｇ１から入力されたＣ、Ｍ、Ｙ、Ｋの画像データを色変換処理し、Ｃ、Ｍ、Ｙ、Ｋの画像データを出力することもできる。
【００３６】
階調補正部７２は、階調補正テーブルを用いて、色変換部７１又はコントローラーｇ１から入力された画像データの階調を補正する。
階調補正テーブルは、画像の階調特性が目標の階調特性に一致するように、各階調値に対応する補正値が定められたＬＵＴ（Look Up Table）である。階調補正部７２は、階調補正テーブルから、画像データの各画素の階調値に対応する補正値を得て、補正値からなる画像データを出力する。階調補正テーブルは、全階調値ではなく、代表値に対する補正値が定められたＬＵＴであることもできる。階調補正部７２は、複数の代表値間の階調値に対する補正値を、各代表値に対応する補正値を補間することにより得ることができる。
【００３７】
階調補正部７２は、制御部１により補正が有効に切り替えられた場合、階調の補正を行う。制御部１により補正が無効に切り替えられた場合、階調補正部７２は、入力された画像データの階調を補正せずに、中間調処理部７３に出力する。
【００３８】
中間調処理部７３は、階調補正部７２から入力された画像データを中間調処理する。中間調処理は、例えばスクリーン処理、誤差拡散処理等である。
【００３９】
画像形成部８は、画像処理装置７から入力された画像データに基づき、用紙上に画像を形成する。画像形成部８の詳細は上述したとおりであるので、省略する。
【００４０】
図３を参照して、上記画像形成システムＧが、ジョブの実行中にキャリブレーションを実施し、レポートを作成するときの処理手順を説明する。
はじめに、図３に示すように、本体ユニットｇ３の制御部１が、キャリブレーションを実施する（ステップＳ１１）。
図４は、制御部１がキャリブレーションを実施するときの処理手順を示している。
図４に示すように、制御部１は、階調補正部７２による補正を無効に切り替え、キャリブレーションが無効なときの階調パターンを、画像形成部８により形成させる（ステップＳ２１）。すなわち、キャリブレーションが無効なときの階調パターンは、キャリブレーションにより更新された階調補正テーブルが適用されず、階調も補正されていない。
【００４１】
階調パターンは、Ｃ、Ｍ、Ｙ、Ｋの色毎に、階調を段階的に異ならせた画像である。
制御部１は、図５（ａ）に示すように、Ｃ、Ｍ、Ｙ、Ｋの各色の階調パターンＰｙ、Ｐｍ、Ｐｃ、Ｐｋを、異なる用紙に形成させることができるし、図５（ｂ）に示すように、同じ用紙に形成することもできる。同じ用紙に形成することにより、ヤレ紙の枚数を減らすことができる。
【００４２】
制御部１は、図６（ａ）に示すように、非画像領域ｒ１に各階調パターンＰｙ、Ｐｍ、Ｐｃ、Ｐｋを形成させ、画像領域ｒ２にジョブの画像を形成させることもできる。非画像領域ｒ１は、裁断代として設けられた領域である。各階調パターンＰｙ、Ｐｍ、Ｐｃ、Ｐｋを形成するためにジョブを中断する必要が無く、生産性が良い。ヤレ紙も無く、低コストである。
図６（ａ）は、異なる用紙の非画像領域ｒ１を用いた例を示しているが、図６（ｂ）に示すように、制御部１は、同じ用紙の非画像領域ｒ１に各色の階調パターンＰｙ、Ｐｍ、Ｐｃ、Ｐｋを形成させてもよい。
【００４３】
制御部１は、用紙上に形成された階調パターンを読取部ｇ４により読み取らせて、濃度の測定値を取得する（ステップＳ２２）。キャリブレーションの実施後にキャリブレーションが有効なときの階調パターンも形成されるため、制御部１は読み取られた階調パターンがキャリブレーションが有効なときの階調パターンか又は無効なときの階調パターンかを判断する。制御部１は、測定値をキャリブレーションの有効又は無効により分類して記憶部２に保存する（ステップＳ２３）。
【００４４】
制御部１は、階調パターンが形成されてから読み取られるまでの経過時間により、当該階調パターンが、キャリブレーションが有効なときの階調パターンか又は無効なときの階調パターンかを判断することができる。
画像の形成から読み取りまでに要する時間は、用紙のサイズによって一定である。よって、制御部１は、キャリブレーションが無効なときの階調パターンを形成させてから、一定時間後に読み取られた階調パターンが、キャリブレーションが無効なときの階調パターンであると判断することができる。制御部１は、当該階調パターンから取得した測定値を、キャリブレーションが無効に分類して記憶部２に保存する。
【００４５】
制御部１は、画像形成部８により、階調パターンとともに、キャリブレーションが有効か又は無効かを示すマークを形成させ、読取部ｇ４により階調パターンとともに読み取られたマークに基づいて、キャリブレーションが有効なときの階調パターンか又は無効なときの階調パターンかを判断することもできる。マークの形成により、ユーザーも、用紙上の階調パターンが、キャリブレーションが有効なときの階調パターンか又は無効なときの階調パターンかを把握することができ、キャリブレーションが有効なとき及び無効なときの濃度を確認することができる。
【００４６】
制御部１は、キャリブレーションが有効か又は無効かにより異なるマークを形成させることができる。例えば、図７（ａ）に示すように無効を示すマークｍ１が黒い丸であり、図７（ｂ）に示すように有効を示すマークｍ２が白い三角であることができる。
また、制御部１は、有効又は無効のいずれかの場合のみマークを形成させることもできる。例えば、制御部１は、キャリブレーションが無効のとき、図７（ａ）に示すマークｍ１を形成し、有効のときはマークｍ１を形成しない。制御部１は、階調パターンとともに読み取られたマークｍ１が有れば、キャリブレーションが無効なときの階調パターンと判断し、当該マークｍ１が無ければ、キャリブレーションが有効なときの階調パターンと判断することができる。
【００４７】
また、制御部１は、キャリブレーションが有効か又は無効かによって、階調パターンを形成する位置を異ならせ、読み取られた階調パターンの位置によって、キャリブレーションが有効なときの階調パターンか又は無効なときの階調パターンかを判断することもできる。
例えば、図８に示すように、制御部１は、用紙の左側の非画像領域ｒ１に、キャリブレーションが無効なときの階調パターンＰｙ、Ｐｍ、Ｐｃ、Ｐｋを形成させ、用紙の右側の非画像領域ｒ１に、キャリブレーションが有効なときの階調パターンＰｙ、Ｐｍ、Ｐｃ、Ｐｋを形成させる。制御部１は、左側の非画像領域ｒ１から読み取られた階調パターンはキャリブレーションが無効なときの階調パターンであり、右側の非画像領域ｒ１から読み取られた階調パターンはキャリブレーションが有効なときの階調パターンと判断することができる。
【００４８】
次に、制御部１は、キャリブレーションが無効に分類された測定値を用いて、階調補正テーブルを更新する（ステップＳ２４）。
図９は、制御部１が階調補正テーブルを更新するときの処理手順を示している。
図９に示すように、制御部１は、今回のキャリブレーションの実施前に形成されたキャリブレーションが無効なときの階調パターンの測定値を記憶部２から取得する（ステップＳ３１）。また、制御部１は、過去のキャリブレーションの実施前に形成されたキャリブレーションが無効なときの階調パターンの測定値を記憶部２から取得する（ステップＳ３２）。制御部１は、過去の測定値として、前回の測定値を取得してもよいし、基準として設定した回の測定値を取得してもよい。
【００４９】
制御部１は、今回の測定値と過去の測定値の差を、第１閾値及び第２閾値（第１閾値＞第２閾値）のそれぞれと比較する。
今回の測定値と過去の測定値の差が、第１閾値未満であり、かつ第２閾値未満である場合（ステップＳ３３；Ｎ、Ｓ３５；Ｎ）、制御部１は、今回の測定値を用いて階調補正テーブルを新たに作成する（ステップＳ３７）。
【００５０】
具体的には、制御部１は、図１０に示すように、階調パターンの各階調の階調値を入力階調（％）とし、濃度の測定値を出力濃度として、キャリブレーションの実施前の階調特性ｈ１１を決定する。制御部１は、目標の階調特性ｈ２に対して階調特性ｈ１１の逆特性を得る。
図１１（ａ）は、測定値を階調値に変換して出力階調（％）としたときの逆特性ｈ３を示している。制御部１は、逆特性ｈ３をテーブル化し、図１１（ｂ）に例示するような階調補正テーブルを得る。
【００５１】
制御部１は、階調補正部７２の階調補正テーブルを、新たに作成された階調補正テーブルに更新する（ステップＳ３８）。更新された階調補正テーブルを用いて、階調パターンの階調を補正すると、キャリブレーションの実施後の階調特性として、図１２に示すように、目標の階調特性ｈ２とほぼ一致する階調特性ｈ１２を得ることができる。
【００５２】
一方、今回の測定値と過去の測定値の差が第１閾値以上である場合（ステップＳ３３；Ｙ）、制御部１は画像形成部８の安定化制御を実行する（ステップＳ３４）。
測定値の変動が非常に大きいと、画像データの補正によって適正な階調特性とすることができず、画像形成部８の安定化制御が必要となる。この安定化制御が必要となるときの測定値の変動量が、第１閾値として設定されている。
【００５３】
例えば、キャリブレーションを実施して更新された階調補正テーブルにより階調が補正され、形成された階調パターンの階調特性が、図１３に示す階調特性ｈ１３となる場合がある。本来、入力階調が１００％である最大階調については、Ｄｍａｘの出力濃度であるべきところ、階調特性ｈ１３は、階調が補正されているにもかかわらず、出力濃度がＤｍａｘを超えている。このような最大階調の変動は、補正によって対応できないため、安定化制御を実行し、プロセス自体を再調整する必要がある。
制御部１は、Ｃ、Ｍ、Ｙ又はＫのいずれか１色でも、差が第１閾値以上となるのであれば、安定化制御を実行する。
【００５４】
安定化制御時、制御部１は画像形成部８により安定化制御用のパッチを形成させる。制御部１は、当該パッチの濃度の測定値に応じて、露光部８１のレーザーパワー、感光体８２の帯電電圧、現像部８３のバイアス電圧等の設定を調整する。上述したような最大階調のずれがある場合、制御部１は、最大階調のパッチに対してＤｍａｘの濃度値が得られるように設定を調整する。その他の安定化制御としては、感光体８２の表面電位のムラや面積階調の調整等が挙げられる。
安定化制御を実行すると、画像の階調特性も変動するため、図４のステップＳ２１に戻り、制御部１は階調パターンの形成からやり直す。
【００５５】
今回の測定値と過去の測定値の差が、第１閾値未満であるが（ステップＳ３３；Ｎ）、第２閾値以上である場合（ステップＳ３５；Ｙ）、制御部１は今回の測定値に過去の測定値をマージする（ステップＳ３６）。制御部１は、マージ後の測定値を用いて階調補正テーブルを新たに作成し（ステップＳ３７）、階調補正テーブルの更新を行う（ステップＳ３８）。マージにより、測定値の急激な変動を抑えてキャリブレーションの実施の前後における階調特性の変動を緩和することができる。第２閾値は、適宜設定することができる。
【００５６】
制御部１は、マージの割合を適宜決定することができる。例えば、制御部１は、今回の測定値と過去の測定値の差に応じて、差が大きいほど過去の測定値のマージの割合を大きく決定することができる。
また、制御部１は、１又は複数の過去の測定値をマージすることができる。例えば、制御部１は今回の測定値に、前回の測定値をマージすることもできるし、過去２回分の測定値をマージすることもできる。
【００５７】
階調補正テーブルを更新後、図４のステップＳ２５に移行する。
図４に示すように、制御部１は、階調補正部７２による補正を有効に切り替え、キャリブレーションが有効なときの階調パターンを、画像形成部８により形成させる（ステップＳ２５）。すなわち、キャリブレーションが有効なときの階調パターンは、キャリブレーションにより更新された階調補正テーブルを適用して階調が補正されている。
制御部１は、用紙上に形成された階調パターンを読取部ｇ４により読み取らせて、濃度の測定値を取得する（ステップＳ２６）。制御部１は、上述したようにして、読み取られた階調パターンが、キャリブレーションが有効なときの階調パターンか又は無効なときの階調パターンかを判断する。制御部１は、取得した測定値をキャリブレーションが有効か又は無効かにより分類して記憶部２に保存する（ステップＳ２７）。その後、図３のステップＳ１２に移行する。
【００５８】
図３に示すように、制御部１は、キャリブレーションの実施間隔が適正か否かを判断する（ステップＳ１２）。適正でない場合（ステップＳ１２；Ｎ）、制御部１はキャリブレーションの実施間隔を調整し（ステップＳ１３）、ステップＳ１４に移行する。適正である場合（ステップＳ１２；Ｙ）、制御部１はキャリブレーションの実施間隔を調整せずに、ステップＳ１４に移行する。
【００５９】
具体的には、制御部１は、今回及び過去のキャリブレーションの実施前にそれぞれ形成された、キャリブレーションが無効なときの階調パターンの測定値の差を第３閾値と比較する。差が第３閾値以上であれば、階調特性の変動が大きいので、制御部１はキャリブレーションの実施間隔が適正でないと判断し、当該実施間隔を短く調整する。これにより、キャリブレーションの有効性に応じて、キャリブレーションの実施頻度を調整することができる。
キャリブレーションが、画像形成された用紙の枚数が一定値に達したときに実施される場合、制御部１は当該一定値を増減させて、実施間隔を調整することができる。また、キャリブレーションが有効なときの階調パターンの測定値と目標濃度との差が閾値を超えたときに、キャリブレーションが実施される場合、制御部１は当該閾値を変更して、実施間隔を調整することができる。
【００６０】
今回の測定値と過去の測定値の差に応じて、キャリブレーションの実施間隔を調整するのであれば、制御部１は、今回の測定値と過去の測定値の差が小さいときに、実施間隔を長く調整してもよい。差が閾値より小さい場合、階調特性の変動が無いか、変動があっても小さいため、キャリブレーションの必要性も小さい。実施間隔を長くすることにより、不要なキャリブレーションを減らすことができる。
【００６１】
次に、制御部１は、ジョブの実行を開始し、画像形成部８によりジョブに係る画像を形成させる（ステップＳ１４）。制御部１は、ジョブの画像データに関しては、階調パターンと異なり、階調補正部７２による補正を常に有効に切り替えて階調を補正させる。
ジョブの実行中、キャリブレーションの実施間隔に至る毎に（ステップＳ１５；Ｙ）、ステップＳ１１の処理に戻り、制御部１は上述したキャリブレーションの実施（図４及び図９参照）を繰り返す。
【００６２】
図１４は、１００００枚のジョブの実行中、２０００枚毎にキャリブレーションが実施され、各キャリブレーションの実施の前後に形成された階調パターンの例を示している。
図１４に示すように、１回目のキャリブレーションはジョブの開始前、つまり用紙枚数が０枚目のときに実施される。０枚目でキャリブレーションが無効なときの階調パターンが形成され、階調補正テーブルが更新されると、更新された階調補正テーブルによりキャリブレーションが有効なときの階調パターンが形成される。図１４は、キャリブレーションが無効なときの階調パターンのみに無効を示すマークｍ１が形成された例を示している。
【００６３】
その後、ジョブが実行され、用紙枚数が２０００枚目のときに２回目のキャリブレーションが実施される。すなわち、２０００枚目の用紙にキャリブレーションが無効なときの階調パターンが形成され、階調補正テーブルが更新される。キャリブレーションが有効なときの階調パターンは、更新された階調補正テーブルを利用できる数枚後の用紙、例えば２００３枚目の用紙に形成される。その後、４０００枚目、６０００枚目、８０００枚目、１００００枚目のときに、それぞれキャリブレーションが実施される。一定間隔毎に形成された各階調パターンの測定値は、キャリブレーションが有効か又は無効かによって分類され、記憶部２に保存される。
【００６４】
そして、ジョブが終了すると（ステップＳ１６；Ｙ）、制御部１は、キャリブレーションが有効なとき及び無効なときの各測定値を記憶部２から取得する。制御部１は、取得した測定値を用いて、キャリブレーションが有効なとき及び無効なときの階調特性をそれぞれ示すレポートを作成する（ステップＳ１７）。
制御部１は、各測定値を統計し、階調特性とともに統計結果を示すレポートを作成することが好ましい。統計結果により、ユーザーはレポートの理解が容易となる。
同様の観点から、制御部１は、階調特性又は統計結果をグラフ等によって図示したレポートを作成することもできる。
【００６５】
図１５は、キャリブレーションの実施間隔が２０００枚であるときのレポート例を示している。図１６は、キャリブレーションの実施間隔が５００枚であるときのレポート例を示している。
図１５及び図１６に示すように、レポートには、Ｃ、Ｍ、Ｙ、Ｋの色毎に、各入力階調２０％、５０％、８０％、１００％に対し、キャリブレーションが有効なとき及び無効なときの各測定値が並べられ、キャリブレーションが有効なとき及び無効なときの階調特性がそれぞれ示されている。各測定値を比較することにより、ユーザーはキャリブレーションが有効に機能していることを把握することができる。
また、レポートには、キャリブレーションを実施したときの用紙の枚数が示されているので、ユーザーは、キャリブレーションの実施頻度を把握することができる。
なお、実施間隔が異なる２つのレポートを比較すれば、キャリブレーションが有効なときの測定値は実施間隔によらずほぼ同じだが、キャリブレーションが無効なときの測定値は実施間隔が長いとばらつきが多いことが分かる。
【００６６】
図１５及び図１６に示すように、レポートには、測定値の平均、最大値と最小値の差、標準偏差の統計結果も示されている。これら統計結果は、ユーザーのレポートの把握を容易にする。例えば、最大値と最小値の差及び標準偏差を参照すれば、キャリブレーションが有効なときより無効なときの方が測定値のばらつきが多いと、ユーザーは容易に判断することができる。
【００６７】
図１７（ａ）及び図１７（ｂ）は、それぞれ図１５及び図１６に示すレポート中の測定値をグラフで図示した例である。図１７（ａ）及び図１７（ｂ）において、白いマーカーはキャリブレーションが無効なときの測定値を示し、黒いマーカーはキャリブレーションが有効なときの測定値を示している。
測定値ではなく、測定値の平均等の統計結果がグラフで図示されてもよい。グラフにより、ユーザーは各測定値の比較が容易であるうえ、キャリブレーションを複数回実施したときの測定値の推移も把握しやすい。
グラフに限らず、入力階調（％）に対して測定値をプロットして得られた、階調特性のカーブを図示することもできる。
【００６８】
レポートの提供方法は、特に限定されない。例えば、図１８に示すように、複数台の画像形成システムＧが、ネットワークＮを介して外部のサーバーＳに接続されている構成であれば、制御部１は、電子ファイルのレポートを作成し、通信部５によりサーバーＳへ送信することができる。制御部１は、画像形成部８によりレポートの画像を用紙上に形成させ、ジョブの画像が形成された用紙とともに提供することも可能である。また、制御部１は、電子ファイルのレポートを表示部４により表示させることもできる。制御部１は、これら全てを実行してもよい。
【００６９】
以上のように、本実施の形態によれば、画像形成システムＧは、階調補正テーブルを用いて、画像データの階調を補正する階調補正部７２と、画像データに基づき、用紙上に画像を形成する画像形成部８と、一定間隔毎にキャリブレーションを実施して階調補正テーブルを更新し、各キャリブレーションの実施前に補正を無効に切り替えて、キャリブレーションが無効なときの階調パターンを画像形成部８により形成させ、各キャリブレーションの実施後に補正を有効に切り替えて、キャリブレーションが有効なときの階調パターンを画像形成部８により形成させる制御部１と、用紙上に形成された階調パターンを読み取る読取部ｇ４と、備えている。制御部１は、読み取られた階調パターンの濃度の測定値を取得して、当該階調パターンが、キャリブレーションが有効なときの階調パターンか又は無効なときの階調パターンかを判断し、キャリブレーションが無効なときの階調パターンの測定値を用いて、各キャリブレーションを実施し、キャリブレーションが有効なとき及び無効なときの各階調パターンの測定値を用いて、キャリブレーションが有効なとき及び無効なときの階調特性をそれぞれ示すレポートを作成する。
【００７０】
これにより、キャリブレーションが有効なとき及び無効なときの階調特性を分離してレポートに示すことができる。ユーザーは、各階調特性を比較することができ、キャリブレーションの有効性及び階調特性の安定性を把握することができる。従って、キャリブレーションの有効性を示すレポートを提供することができる。
【００７１】
また、レポートにより、ユーザーはキャリブレーションの実施頻度の妥当性を把握することができる。ユーザーは、レポートを、キャリブレーションの適切な実施頻度を決める際の目安とすることもできる。
【００７２】
また、レポートの提供により、ジョブの画像が形成された印刷物の商品価値を高めることもできる。例えば、注文を受けてジョブを実行した場合、印刷物とともに階調特性のレポートを品質保証書として納品することができる。これにより、発注者の満足度が向上し、発注者と受注者間の信頼関係も向上する。
【００７３】
上記実施の形態は本発明の好適な一例であり、これに限定されない。本発明の主旨を逸脱しない範囲で適宜変更可能である。
【００７４】
例えば、制御部１に、図３、図４及び図９に示す手順で処理を実行させるためのプログラムのコンピューター読み取り可能な媒体としては、ＲＯＭ、フラッシュメモリー等の不揮発性メモリー、ＣＤ-ＲＯＭ等の可搬型記録媒体を適用することが可能である。当該プログラムのデータを、通信回線を介して提供する媒体として、キャリアウエーブ(搬送波)も適用される。
【符号の説明】
【００７５】
Ｇ    画像形成システム
ｇ１    コントローラー
ｇ３    本体ユニット
１    制御部
２    記憶部
７    画像処理装置
７２    階調補正部
８    画像形成部
ｇ４    読取部
【図１】
2014107648.tif 000003
【図２】
2014107648.tif 000004
【図３】
2014107648.tif 000005
【図４】
2014107648.tif 000006
【図９】
2014107648.tif 000007
【図１０】
2014107648.tif 000008
【図１１】
2014107648.tif 000009
【図１２】
2014107648.tif 000010
【図１３】
2014107648.tif 000011
【図１５】
2014107648.tif 000012
【図１６】
2014107648.tif 000013
【図１７】
2014107648.tif 000014
【図１８】
2014107648.tif 000015
【図５】
2014107648.tif 000016
【図６】
2014107648.tif 000017
【図７】
2014107648.tif 000018
【図８】
2014107648.tif 000019
【図１４】
2014107648.tif 000020